(57)【要約】【課題】製品出荷時にトナーカートリッジのシャッター部材の移動を抑制して、トナーの漏出を確実に抑制することが可能なトナーカートリッジ用収納袋を提供する【解決手段】ホルダー部１０２の前面１０２ａと対向してホルダー部１０２の前面１０２ａを収容する収容空間を形成する第１シール部２ｂの長さＤ２を、余裕部分４を形成するカートリッジ収納用袋２の角部の一方５ａを封口するように、第２シール部２ｃから斜線状に形成された第４シール部２ｆで制限して、トナーカートリッジ１００の中間部１００ａの収納空間を形成する第２シール部２ｃ及び第３シール部２ｄ間の長さＤ１より短く形成する。【選択図】図６
2011013571.tif 000002
【特許請求の範囲】
【請求項１】
トナーを収容する円筒状のトナー収容器と、当該トナー収容器に形成された開口を覆うようにあるいは塞ぐように該トナー収容器と係合しつつ、当該トナー収容器の長手方向の中心軸を回転軸として当該トナー収容器を回転自在に保持する容器保持部材とを有し、当該容器保持部材は、前記トナー収容器から送り込まれたトナーを貯留するトナー貯留部と、当該トナー貯留部内のトナーを当該容器保持部材の外部に排出する開口と、前記トナー収容器の回転軸の軸方向に移動して前記開口を開閉するシャッター部材とを有し、当該シャッター部材は、前記トナー収容器の回転軸の軸方向からの外部のシャッター開閉部材の挿入によって前記開口を開放するように移動するトナーカートリッジを収納するカートリッジ収納用袋において、
前記カートリッジ収納用袋は、一辺が開放された前記トナーカートリッジを挿入する収納用開口と、当該収納用開口と対向する辺をシールする第１シール部と、前記トナーカートリッジの挿入方向に沿って延びる辺をシールする第２及び第３のシール部とを有して四角形状の２枚のシートの三辺がシールされた袋を構成し、前記収納用開口から前記トナーカートリッジの前記容器保持部材を前方として収納したときに対向する前記第１シール部の長さを、前記第２及び第３のシール部間の長さよりも短く形成していることを特徴とするカートリッジ収納用袋。
【請求項２】
請求項１記載のカートリッジ収納用袋において、
前記第１のシール部の一端は、前記第２及び第３のシール部の少なくとも一方から前記第１のシール部に向かって延びる第４のシール部でシールされて前記第１のシール部の長さが前記第２及び第３のシール部間の長さよりも短く形成されていることを特徴とするカートリッジ収納用袋。
【請求項３】
請求項２記載のカートリッジ収納用袋において、
前記第１のシール部の他端は、前記第２及び第３のシール部の残りのシール部から前記第１のシール部に向かって延びる第５のシール部でシールされていることを特徴とするカートリッジ収納用袋。
【請求項４】
請求項３記載のカートリッジ収納用袋において、
前記第５のシール部は、前記四角形状のシートの幅方向の中心線に対して前記第４のシール部と対称的に形成されていることを特徴とするカートリッジ収納用袋。
【請求項５】
請求項２乃至４のいずれか１項記載のカートリッジ収納用袋において、
前記第４のシール部は、前記第２及び第３のシール部の少なくとも一方から４０度以上の角度で前記第１のシール部に向かって延びる斜線状のシールであることを特徴とするカートリッジ収納用袋。
【請求項６】
請求項２乃至５のいずれか１項記載のカートリッジ収納用袋において、
前記第４のシール部でシールされた前記四角形状のシートの角部が切除されていることを特徴とするカートリッジ収納用袋。
【請求項７】
請求項６記載のカートリッジ収納用袋において、
前記第４のシール部でシールされた前記四角形状のシートの角部と共に、前記第５のシール部でシールされた前記四角形状のシートの他の角部も切除されていることを特徴とするカートリッジ収納用袋。
【請求項８】
請求項１乃至７のいずれか１項記載のカートリッジ収納用袋において、
前記シートの厚みが０．０６ｍｍ以上であることを特徴とするカートリッジ収納用袋。
【請求項９】
トナーを収容する円筒状のトナー収容器と、当該トナー収容器に形成された開口を覆うようにあるいは塞ぐように該トナー収容器と係合しつつ、当該トナー収容器の長手方向の中心軸を回転軸として当該トナー収容器を回転自在に保持する容器保持部材とを有し、当該容器保持部材は、前記トナー収容器から送り込まれたトナーを貯留するトナー貯留部と、当該トナー貯留部内のトナーを当該容器保持部材の外部に排出する開口と、前記トナー収容器の回転軸の軸方向に移動して前記開口を開閉するシャッター部材とを有し、当該シャッター部材は、前記トナー収容器の回転軸の軸方向からの外部のシャッター開閉部材の挿入によって前記開口を開放するように移動するトナーカートリッジを、一辺が開放された前記トナーカートリッジを挿入する収納用開口と、当該収納用開口と対向する辺をシールする第１シール部と、前記トナーカートリッジの挿入方向に沿って延びる辺をシールする第２及び第３のシール部とを有して四角形状の２枚のシートの三辺がシールされたカートリッジ収納用袋内に、前記容器保持部材を前方として収納して、前記収納用開口を封口したカートリッジ収納体において、
前記カートリッジ収納用袋は、請求項１乃至８のいずれか１項記載のカートリッジ収納用袋であることを特徴とするカートリッジ収納体。
【発明の詳細な説明】
【技術分野】
【０００１】
本発明は、複写機、ファクシミリ、プリンタ等の画像形成装置に着脱されるトナーカートリッジを収納するカートリッジ収納用袋及びこのカートリッジ収納用袋内にトナーカートリッジを収納したカートリッジ収納体に関するものである。
【背景技術】
【０００２】
従来、トナーを用いた電子写真方式や直接記録方式により、転写紙等の記録媒体にトナー像を形成する画像形成装置が知られている。電子写真方式とは、例えば、特許文献１に記載の画像形成装置のように、感光体等の潜像担持体に形成した静電潜像にトナーを付着させて、潜像担持体上にトナー像を形成する方式である。また、直接記録方式とは、上述の電子写真方式の画像形成装置のように、潜像担持体によらず、トナー飛翔装置から飛翔させたトナー群を記録媒体に直接付着させてトナー像を形成する方式である。
これらの方式においては、画像形成に伴ってトナーを消費していくので、画像形成装置本体に対してトナーを定期的に補充する必要がある。トナーを補充する方法としては、特許文献１に記載のトナーカートリッジを新旧交換することによって行うものが知られている。
図１４は、従来の特許文献１に記載されたトナーカートリッジの概観形状を示す斜視図、図１５は、図１４で示すトナーカートリッジのホルダー部を示す一部切り欠いた断面図である。特許文献１に記載されたトナーカートリッジ１００は、図１４に示すように、トナーを収容している円筒状の樹脂製のボトル部（トナー収容器）１０１と、ボトル部１０１の開口１０１ａを覆うホルダー部（容器保持部材）１０２とを備えている。ボトル部１０１の先端部は、図１５に示すように、ボトル部１０１本体よりも小径な円筒形状になっており、その小径円筒の先端に開口１０１ａが形成されている。先端部の小径円筒の外周面からは、ボトル部１０１の長手方向の中心軸を回転軸としてボトル部１０１を回転する図示しない原動ギヤと噛み合うための歯車を有するギヤ部１１１が突出している。小径円筒のギヤ部１１１よりもボトル部１０１の先端側には、円筒外周面から僅かに突出する引っ掛け部１１２が形成されている。
【０００３】
一方、ホルダー部１０２のボトル部１０１の開口１０１ａを覆うキャップ部１０５には、図１５に示すように、ボトル部１０１の先端である小径円筒を受け入れるための円筒空間が形成されており、この円筒空間におけるキャップ部１０５の端部には、キャップ部１０５の円筒内周から突出する突起１１３が形成されている。ボトル部１０１の先端の小径円筒は、その引っ掛け部１１２がキャップ部１０５内の突起１１３を乗り越えるようにキャップ部１０５内に挿入されて、キャップ部１０５に対して回転自在に係合している。なお、図１４中、符号１０３は、ボトル部１０１内のトナーをホルダー部１０２の方向に回転しながら搬送する螺旋状突部である。符号１１０は、後述するノズルを位置決めする位置決め孔である。
ホルダー部１０２のキャップ部１０５には、図１５に示すように、ボトル部１０１の回転によって搬送されたトナーを貯留するトナー貯留部１０６が形成されており、トナー貯留部１０６から外部にトナーを供給する開口１１４が形成されている。この開口１１４の下方には、この開口を開閉するシャッター部材１１６がボトル部１０１の軸線方向（矢印方向）にスライド可能に取り付けられている。そして、トナー貯留部１０６内のトナーを、図示しない画像形成装置の現像装置に送給する場合には、トナー貯留部１０６内のトナーを吸引しながら現像装置に搬送する図示しないノズルを、ホルダー部１０２のノズル挿入孔１０９から挿入してノズルの先端でシャッター部材１１６を軸線方向左方（矢印Ａ１方向）にスライドさせて開口１１４を開放させると共に、ノズル挿入部１０４内に設置させる。
このように、ノズル挿入部１０４内にノズルを設置させることによって、トナー貯留部１０６内のトナーをノズル内に供給し、ノズル内のトナーを吸引しながら現像装置内に送給するようになっている。なお、図１５中、符号１１７は、シャッター部材１１６とノズル挿入部１０４との間を密閉するためのＯリングである。
【０００４】
一方、この種トナーカートリッジ１００は、流通時に高温、高湿環境にさらされると、カートリッジ内のトナーが凝集して画像品質を悪化させることが知られている。そのため、トナーカートリッジ１００を、四角形状の２枚の樹脂シートの四辺をシールしたカートリッジ収納用袋内に密封して収納することが行なわれている。（例えば、特許文献２参照）そして、このようにしてトナーカートリッジを樹脂シートの収納用袋内に収納したトナーカートリッジ収納体を梱包し易いように、四角筒状の厚紙等からなる収納ケース内に収納して、製品出荷を行なっている。
【発明の概要】
【発明が解決しようとする課題】
【０００５】
しかしながら、特許文献２に記載されているような四角形状の２枚の樹脂シートの四辺をシールしたカートリッジ収納用袋内にトナーカートリッジを密封して収納すると、製品出荷時に、シャッター部材がスライド移動して、開口からトナーがカートリッジ収納用袋内に漏出し、トナーカートリッジをカートリッジ収納用袋から取り出した際に、漏出したトナーが周囲に飛散して周囲を汚染するという問題を招く。
本発明は、上記実情を考慮してなされたものであり、製品出荷時にトナーカートリッジのシャッター部材の移動を抑制して、トナーの漏出を確実に抑制することが可能なトナーカートリッジ用収納袋及び、カートリッジ収納用袋内にトナーカートリッジを収納したカートリッジ収納体を提供することを目的とする。
【課題を解決するための手段】
【０００６】
上記課題を解決するために、請求項１の発明は、トナーを収容する円筒状のトナー収容器と、当該トナー収容器に形成された開口を覆うようにあるいは塞ぐように該トナー収容器と係合しつつ、当該トナー収容器の長手方向の中心軸を回転軸として当該トナー収容器を回転自在に保持する容器保持部材とを有し、当該容器保持部材は、前記トナー収容器から送り込まれたトナーを貯留するトナー貯留部と、当該トナー貯留部内のトナーを当該容器保持部材の外部に排出する開口と、前記トナー収容器の回転軸の軸方向に移動して前記開口を開閉するシャッター部材とを有し、当該シャッター部材は、前記トナー収容器の回転軸の軸方向からの外部のシャッター開閉部材の挿入によって前記開口を開放するように移動するトナーカートリッジを収納するカートリッジ収納用袋において、前記カートリッジ収納用袋は、一辺が開放された前記トナーカートリッジを挿入する収納用開口と、当該収納用開口と対向する辺をシールする第１シール部と、前記トナーカートリッジの挿入方向に沿って延びる辺をシールする第２及び第３のシール部とを有して四角形状の２枚のシートの三辺がシールされた袋を構成し、前記収納用開口から前記トナーカートリッジの前記容器保持部材を前方として収納したときに対向する前記第１シール部の長さを、前記第２及び第３のシール部間の長さよりも短く形成していることを特徴とする。
【０００７】
また、請求項２の発明は、請求項１記載のカートリッジ収納用袋において、前記第１のシール部の一端は、前記第２及び第３のシール部の少なくとも一方から前記第１のシール部に向かって延びる第４のシール部でシールされて前記第１のシール部の長さが前記第２及び第３のシール部間の長さよりも短く形成されていることを特徴とする。
また、請求項３の発明は、請求項２記載のカートリッジ収納用袋において、前記第１のシール部の他端は、前記第２及び第３のシール部の残りのシール部から前記第１のシール部に向かって延びる第５のシール部でシールされていることを特徴とする。
また、請求項４の発明は、請求項３記載のカートリッジ収納用袋において、前記第５のシール部は、前記四角形状のシートの幅方向の中心線に対して前記第４のシール部と対称的に形成されていることを特徴とする。
また、請求項５の発明は、請求項２乃至４のいずれか１項記載のカートリッジ収納用袋において、前記第４のシール部は、前記第２及び第３のシール部の少なくとも一方から４０度以上の角度で前記第１のシール部に向かって延びる斜線状のシールであることを特徴とする。
また、請求項６の発明は、請求項２乃至５のいずれか１項記載のカートリッジ収納用袋において、前記第４のシール部でシールされた前記四角形状のシートの角部が切除されていることを特徴とする。
また、請求項７の発明は、請求項６記載のカートリッジ収納用袋において、前記第４のシール部でシールされた前記四角形状のシートの角部と共に、前記第５のシール部でシールされた前記四角形状のシートの他の角部も切除されていることを特徴とする。
また、請求項８の発明は、請求項１乃至７のいずれか１項記載のカートリッジ収納用袋において、前記シートの厚みが０．０６ｍｍ以上であることを特徴とする。
【０００８】
また、請求項９の発明は、トナーを収容する円筒状のトナー収容器と、当該トナー収容器に形成された開口を覆うようにあるいは塞ぐように該トナー収容器と係合しつつ、当該トナー収容器の長手方向の中心軸を回転軸として当該トナー収容器を回転自在に保持する容器保持部材とを有し、当該容器保持部材は、前記トナー収容器から送り込まれたトナーを貯留するトナー貯留部と、当該トナー貯留部内のトナーを当該容器保持部材の外部に排出する開口と、前記トナー収容器の回転軸の軸方向に移動して前記開口を開閉するシャッター部材とを有し、当該シャッター部材は、前記トナー収容器の回転軸の軸方向からの外部のシャッター開閉部材の挿入によって前記開口を開放するように移動するトナーカートリッジを、一辺が開放された前記トナーカートリッジを挿入する収納用開口と、当該収納用開口と対向する辺をシールする第１シール部と、前記トナーカートリッジの挿入方向に沿って延びる辺をシールする第２及び第３のシール部とを有して四角形状の２枚のシートの三辺がシールされたカートリッジ収納用袋内に、前記容器保持部材を前方として収納して、前記収納用開口を封口したカートリッジ収納体において、前記カートリッジ収納用袋は、請求項１乃至８のいずれか１項記載のカートリッジ収納用袋であることを特徴とする。
【発明の効果】
【０００９】
本発明によれば、カートリッジ収納用袋は、一辺が開放された前記トナーカートリッジを挿入する収納用開口と、当該収納用開口と対向する辺をシールする第１シール部と、前記トナーカートリッジの挿入方向に沿って延びる辺をシールする第２及び第３のシール部とを有して四角形状の２枚のシートの三辺がシールされた袋を構成し、前記収納用開口から前記トナーカートリッジの前記容器保持部材を前方として収納したときに対向する前記第１シール部の長さを前記第２及び第３のシール部間の長さよりも短く形成していることによって、製品出荷時にトナーカートリッジのシャッター部材の移動を抑制して、トナーの漏出を確実に抑制することが可能なトナーカートリッジ用収納袋及び、カートリッジ収納用袋内にトナーカートリッジを収納したカートリッジ収納体を提供することができる。
【図面の簡単な説明】
【００１０】
【図１】トナーカートリッジを四角形状の収納袋に収納する際の状態を説明するための斜視図である。
【図２】トナーカートリッジを四角形状の収納袋に収納した収納体を四角筒状の収納ケースに収納する状態を説明するための斜視図である。
【図３】トナーカートリッジを四角形状の収納袋に収納した収納体の第１シール部が変形した状態を示す斜視図である。
【図４】図３のＢ部の拡大断面図である。
【図５】トナーカートリッジ収納体を収納ケースに収納した際に、シャッター部材が移動する状態を示す断面図である。
【図６】本発明による一実施形態に係るカートリッジ収納用袋にトナーカートリッジに収納する状態を説明する斜視図である。
【図７】本発明による他の実施形態に係るカートリッジ収納用袋にトナーカートリッジに収納したトナーカートリッジ収納体の平面図である。
【図８】本発明による他の実施形態に係るカートリッジ収納用袋にトナーカートリッジに収納したトナーカートリッジ収納体の平面図である。
【図９】図８のＡ−Ａ線上で切断した断面図である。
【図１０】本発明による他の実施形態に係るカートリッジ収納用袋にトナーカートリッジに収納した状態を示す平面図である。
【図１１】図８に示すトナーカートリッジ収納体の第３及び第４シール部の傾斜角θが３０度の場合のトナーカートリッジ収納体の平面図である。
【図１２】図８に示すトナーカートリッジ収納体の第３及び第４シール部の傾斜角θが４５度の場合のトナーカートリッジ収納体の平面図である。
【図１３】図８に示すトナーカートリッジ収納体の第３及び第４シール部の傾斜角θが６０度の場合のトナーカートリッジ収納体の平面図である。
【図１４】従来のトナーカートリッジを示す斜視図である。
【図１５】図１４で示すトナーカートリッジのホルダー部を示す一部を切り欠いた断面図である。
【発明を実施するための形態】
【００１１】
本発明者らは、製品出荷時の収納袋内へのトナー漏出について検討を行なった。この検討の結果、製品出荷時の収納袋内へのトナー漏出が、以下述べるように、思いもかけないことによって発生することを究明した。この検討結果について、図１〜図４に基づいて説明する。
図１は、トナーカートリッジを四角形状の収納袋に収納する際の状態を説明するための斜視図である。図２は、トナーカートリッジを四角形状の収納袋に収納した収納体を四角筒状の収納ケースに収納する状態を説明するための斜視図である。図３は、トナーカートリッジを四角形状の収納袋に収納した収納体の第１シール部が変形した状態を示す斜視図である。図４は、図３のＢ部の拡大断面図である。図５は、トナーカートリッジ収納体を収納ケースに収納した際に、シャッター部材が移動する状態を示す断面図である。
トナーカートリッジ１００は、前述のように、図１に示すように、トナーを収容している円筒状の樹脂製のボトル部（トナー収容器）１０１と、ボトル部１０１の開口１０１ａを覆うホルダー部（容器保持部材）１０２とを備えている。そして、ホルダー部１０２には、トナー貯留部１０６と、開口１１４及びシャッター部材１１６を有している。
【００１２】
このようなトナーカートリッジ１００を、図１に示すように、一辺が開放されて前記トナーカートリッジを挿入する収納用開口２ａと、収納用開口２ａと対向する辺をシールする第１シール部２ｂと、トナーカートリッジ１００の挿入方向（矢印Ｃ）に沿って延びる辺をシールする第２及び第３のシール部２ｃ、２ｄとを有して四角形状の２枚のシートの三辺がシールされたカートリッジ収納袋２内に収納する。この際、トナーカートリッジ１００は、カートリッジ収納袋２内に、そのホルダー部１０２を前方とし、ホルダー部１０２の前面１０２ａが第１シール部２ｂと対向するように収納される。
このようにしてカートリッジ収納袋２内にトナーカートリッジ１００を収納した後、図２に示すように、収納用開口２ａをシール（２ｅ）し、密封してトナーカートリッジ収納体１２０を形成する。このようにして収納用開口２ａを２ｅでシールして密封されたトナーカートリッジ収納体１２０は、トナーカートリッジ１００への温度伝達速度や水分侵入速度を遅らせて、温湿度変化に伴うトナーカートリッジ１００内のトナーの凝集を抑制するようになっている。
【００１３】
上記のようにして形成されたトナーカートリッジ収納体１２０は、トナーカートリッジ１００の周囲に幅方向で余裕をもって収納袋２内に収納されており、図２に示すように横幅が広い状態で形成されている。そのために、厚紙等で形成された四角筒状の収納ケース３内にトナーカートリッジ収納体１２０を収納する場合には、トナーカートリッジ収納体１２０の余裕部分４を折り畳んで収納ケース３内に収納される。この余裕部分４の折り畳み作業の際に、上下２枚のシートをシールすることによって比較的に硬質となっている第１シール部２ｂが、図３に示すように、中央部分が内方に折り曲がって変形した状態になる場合がある。そして、この変形した突出変形部分２ｂ１が、図４に示すように、トナーカートリッジ１００のノズル挿入孔１０９に対向した位置に形成される場合がある。
このように、変形した突出変形部分２ｂ１が、トナーカートリッジ１００のノズル挿入孔１０９に対向した位置に形成された状態で、図２に示すような四角筒の収納ケース３内にトナーカートリッジ収納体１２０を収納すると、図５に示すように、変形した突出変形部分２ｂ１の周囲が収納ケース３の底壁３ａに当接して、矢印Ｅの力を受けて突出変形部分２ｂ１をノズル挿入孔１０９内に進入させてシャッター部材１１６に当接する。突出変形部分２ｂ１のノズル挿入孔１０９内への更なる侵入によって、シャッター部材１１６がＡ１方向にスライドし、開口１１４を一部開放させ、この開口１１４からの収納袋２内へのトナー漏出する場合があることを究明した。
【００１４】
このような、思いがけない事故の発生原因の究明に基づき、この解決策について検討を行なった。その結果、図６に示すように、ホルダー部１０２の前面１０２ａと対向してホルダー部１０２の前面１０２ａを収容する収容空間を形成する第１シール部２ｂの長さＤ２を、余裕部分４を形成するカートリッジ収納用袋２の角部の一方５ａを封口するように、第２シール部２ｃから斜線状に形成された第４シール部２ｆで制限して、トナーカートリッジ１００の中間部１００ａの収納空間を形成する第２シール部２ｃ及び第３シール部２ｄ間の長さＤ１より短く形成すればよいことに気がつき、本発明を完成するに至った。
即ち、ホルダー部１０２の前面１０２ａを収容する収容空間を形成する第１シール部２ｂの長さＤ２を、第２シール部２ｃから斜線状に形成された第４シール部２ｆで制限して、トナーカートリッジ１００の中間部１００ａの収納空間を形成する第２シール部２ｃ及び第３シール部２ｄ間の長さＤ１より短く形成すれば、余裕部分４を折り畳んで四角筒状の収納ケース３内に収納しても、第１シール部２ｂに前述の突出変形部分２ｂ１の形成が抑制されることが判明した。
【００１５】
この場合、図７に示すように、第４シール部２ｆでシールされたカートリッジ収納用袋２の角部５ａを切除すると、余裕部分４を折り畳んだ場合に、第１シール部２ｂに突出変形部分２ｂ１の発生がより抑制されるので好適である。さらに、図７に示すように、カートリッジ収納用袋２の幅方向の中心線Ｌに対して第４シール部２ｆと対称的に第３シール部２ｄから第１シール部２ｂに向かって延びる斜線状の第５シール部２ｇを形成した場合には、第１シール部２ｂの長さＤ２の長さがより短くなるので、第１シール部２ｂに突出変形部分２ｂ１の発生がより抑制されることになり好ましい。この場合に、第５シール部２ｇも、図８に示すように、角部５ｂを切除すれば、より好適である。
上記実施形態においては、第３及び第４シール部２ｆ、２ｇは、斜線状の直線状に形成しているが、曲線状のシール形状であっても良い。しかしながら、斜線状のシール形状は、形成が容易となるだけでなく、密封性も良好であり、好適である。このようなシール部は、四角形状のシートとして樹脂シートを使用し、シートの周辺部分を加熱、溶融させてシールするヒートシールが好適であるが、接着剤等で２枚のシートの周辺部分を固着してシールするものであっても良い。
【００１６】
このような、カートリッジ収納用袋は、図９に示すように、シール層としてポリエチレン樹脂層上に他の材質の樹脂層、例えば、ポリエチレンテレフタレート（ＰＥＴ）層、ポリプロピレン層を積層した四角形状の２枚のシート２Ａ、２Ｂを、その左右側辺でヒートシールにより溶融させて第２シール部２ｃ、第３シール部２ｄを形成して袋状体とすることによって好適に使用することができる。この場合、上記のような樹脂シートを２枚使用するのではなく、図１０に示すように、１枚のシートを中央部で折畳んで左右側辺で第２シール部２ｃ、第３シール部２ｄを形成して袋状体とすることもできる。なお、シート材質としては、上記記載の材質に限らず、他の材質のものも使用することができる。
このような樹脂シートの厚みは、トナーカートリッジ１００の収納時の破損防止等の観点から０．０６ｍｍ以上とすることが推奨される。この樹脂シートの厚みが厚くなるにつれ、カートリッジ収納用袋自身の剛性が高くなり、余剰部分４の剛性も高くなるめに、このような場合には、前述のように、角部５ａ、５ｂの切除が第１シール部２ｂに突出変形部分２ｂ１の発生を抑制するために好適である。
また、前記第１シール部２ｂの長さＤ２が短く成るほど、第１シール部２ｂに突出変形部分２ｂ１の発生が抑制されるが、カートリッジ収納用袋２内へのトナーカートリッジ１００の挿入、収納作業が難しくなる。このような第１シール部２ｂの長さＤ２は、第３シール部２ｆ及び第４シール部２ｇを形成する傾斜角と関係する。この傾斜角θを種々変化させた場合におけるカートリッジの挿入性、突出変形部分の形成状態、収納ケース内にトナーカートリッジ収納体を収納した際の第１シール部の接触の有無を試験した。なお、この場合の傾斜角θとしては、図１１〜図１３に示すように、傾斜角θが３０度、４５度、６０度について示す。また、樹脂シートとしては、０．１ｍｍのポリエチレン−ＰＥＴ−ポリプロピレンの３層構造のものを使用した。
【００１７】
表１はその結果を示す。
2011013571.tif 000003
表１の結果から、シールする角度θが３０度の場合には、カートリッジ収納用袋２の先端までトナーカートリッジ１００を挿入することが可能となり、カートリッジの挿入性は良いがカートリッジ収納用袋２の先端の第１シール部２ｂの近傍に突出変形部分が発生し、箱梱包時に突出変形部分がシャッタに接触する事故が発生した。また、角度θが６０度の場合には、カートリッジ収納用袋２の先端が細くなり、トナーカートリッジ１００の先端を挿入することが困難となる。これに対して角度θが４５度の場合には、トナーカートリッジ１００のカートリッジ収納用袋２への挿入性も良く、突出変形部分の発生はほとんどなく、また箱梱包時の突出変形部分の接触がないとこが確認できた。この結果から、シールする角度θとしては、４０度以上にすれば、収納ケースへの梱包時の余剰部分の接触を抑制することが可能となり、５０度以下にすれば、カートリッジ１００の挿入性が良好となるので、４０度から５０度の範囲が好適である。
【００１８】
次に、シール角度θを４５度にして角部５ａ、５ｂを切除したカートリッジ収納用袋（実施例）及び第３、第４シール部２ｆ、２ｇを形成していない従来のカートリッジ収納用袋（従来例）を使用して形成したトナーカートリッジ収納体の７個について、収納ケース３へのトナーカートリッジ収納体を梱包した際のシャッター部材の移動の有無及びトナー漏れの有無を測定した。結果を表２に示す。
2011013571.tif 000004
表２の結果から、従来例のものでは、梱包時にシャッター部材が移動し、トナーもれが発生する場合があるのに対して、本発明による実施例のものでは、梱包時のシャッター部材の移動が全くなく、トナー漏れも全く発生していない。
【００１９】
さらに、本発明による上記実施例で示す６個のカートリッジ収納用袋について、次の条件で、（１）落下試験、（２）振動試験及び（３）減圧試験を行なった。その結果を表３に示す。
（１）落下試験：トナーカートリッジのホルダー部を下にして８０ｃｍ高さから落下させてシャッター部材の移動の有無及びトナー漏れの有無を測定した。
（２）振動試験：加速度１Ｇ、５〜５０Ｈｚ、２３．３分／サイクル×３回で収納ケース内に梱包したトナーカートリッジ収納体に振動を負荷してシャッター部材の移動の有無及びトナー漏れの有無を測定した。
（３）減圧試験：７００ｈＰａで２４時間放置後に、シャッター部材の移動の有無及びトナー漏れの有無を測定した。
［表３］
2011013571.tif 000005
表３の結果から明らかなように、本発明による実施例のものは、（１）落下試験、（２）振動試験及び（３）減圧試験を行なっても、シャッター部材の移動は、全く確認されず、また、トナー漏れの発生もなかった。これにより輸送時においてもカートリッジ収納用袋がシャッター部材を加圧することがないことが確認できた。
【符号の説明】
【００２０】
２  カートリッジ収納用袋、２ａ  収納用開口、２ｂ  第１シール部、２ｃ  第２シール部、２ｄ  第３シール部、２ｆ  第４シール部、２ｇ  第５シール部、３  収納ケース、４  余裕部分、５ａ、５ｂ  角部、１００  トナーカートリッジ、１０１  ボトル部、１０２  ホルダー部、１０４  ノズル挿入部、１０５  キャップ部、１０６  トナー貯留部、１０９  ノズル挿入孔、１１６  シャッター部材、１２０  トナーカートリッジ収納体
【先行技術文献】
【特許文献】
【００２１】
【特許文献１】特開２００６−５８６９８公報
【特許文献２】特許第２６５１７５９号
【図１】
2011013571.tif 000006
【図２】
2011013571.tif 000007
【図３】
2011013571.tif 000008
【図４】
2011013571.tif 000009
【図５】
2011013571.tif 000010
【図６】
2011013571.tif 000011
【図７】
2011013571.tif 000012
【図８】
2011013571.tif 000013
【図９】
2011013571.tif 000014
【図１０】
2011013571.tif 000015
【図１１】
2011013571.tif 000016
【図１２】
2011013571.tif 000017
【図１３】
2011013571.tif 000018
【図１４】
2011013571.tif 000019
【図１５】
2011013571.tif 000020